(57)【特許請求の範囲】
【請求項１】
所定範囲内で光軸方向に進退可能なレンズ鏡筒を備えるカメラにおいて、
カメラ本体に固定される固定枠と、
上記固定枠に対し、相対回転自在かつ光軸方向に進退可能に内挿された表面が光沢を有する移動枠と、
上記移動枠に対し、相対回転自在かつ光軸方向に一体的に移動可能に内挿された直進枠と、
上記直進枠に設けられ、反射部材が設けられた被検出部と、
上記固定枠に設けられ、上記被検出部の反射部材に向けて検出光を投射し、その反射光を受光して上記被検出部の位置を検出する光センサと、
を具備し、
上記光センサは、投光軸が、上記被検出部の反射部材に対して略垂直に設定され、且つ、上記移動枠に投射された検出光の反射光軸と異なるように上記レンズ鏡筒の光軸と交わらないように配置されることを特徴とするカメラ。
【発明の詳細な説明】
【０００１】
【発明の属する技術分野】
この発明は、ズーム撮影光学系を備えたカメラに関する。
【０００２】
【従来の技術】
カメラにおいては、ズーム撮影光学系のレンズ位置を検出する方法として種々提案されている。例えば、特開平９―２３０２１号公報には、電気パターンを並設して形成したコード板に対し、レンズ位置に応じて位置変化されるブラシを摺動自在に対向配置してレンズ位置を検出する手段が開示される。
【０００３】
しかしながら、上記コード板を用いる手段では、ブラシの変化範囲に亘って、コード板を配置する機械的検出構造を採るために、大型となり、しかも、コード板の電気パターン上に埃等が付着したりして、誤動作を起こす虞を有する。
【０００４】
一方、特開平５―１８１０５０号公報には、反射率の高い部分と反射率の低い部分とを設けたズームエンコーダを、レンズ鏡筒の回転環に取付け配置して、このズームエンコーダの反射率の高い部分と低い部分との反射率の差をフォトリフレクタ等の光センサにより検出して、レンズ位置を検出する方法が開示されている。
【０００５】
一方、最近のカメラにおいては、レンズ鏡筒を光沢のある金属枠や、カラー枠で形成したり、あるいは表面に光沢を有するメタリック塗装が施されて、高級感をだすように構成したものが実用に供されている。
【０００６】
ところが、上記カメラでは、レンズ鏡筒自体の反射率が高いために、後者の光センサを用いると、その光センサが、光検出部からの反射光と異なる鏡筒自体からの反射光を検出して誤動作される虞を有する。
【０００７】
そこで、光検出部を、レンズ鏡筒から大きく離して配し、鏡筒自体からの反射光を誤検出しないように構成することが考えられる。しかし、光検出部をレンズ鏡筒から大きく離すと、大型となるために、小型化の要請を満足することが困難となるという不都合を有する。
【０００８】
係る不都合は、表面が光沢を有しないレンズ鏡筒を備えるカメラにおいても、レンズ鏡筒と光検出部との間隔を所定間隔に設定しなければ、誤検出の虞を有することで同様である。
【０００９】
【発明が解決しようとする課題】
以上述べたように、従来のカメラでは、レンズ鏡筒の直進位置を光センサで検出する場合、レンズ鏡筒からの反射光を誤検出するという不具合を有する。
【００１０】
この発明は上記の事情に鑑みてなされたもので、構成簡易にして、小型化の促進を図り得、且つ、高精度なズームミング制御を実現し得るようにしたカメラを提供することを目的とする。
【００１３】
【課題を解決するための手段】
この発明は、所定範囲内で光軸方向に進退可能なレンズ鏡筒を備えるカメラにおいて、カメラ本体に固定される固定枠と、上記固定枠に対し、相対回転自在かつ光軸方向に進退可能に内挿された表面が光沢を有する移動枠と、上記移動枠に対し、相対回転自在かつ光軸方向に一体的に移動可能に内挿された直進枠と、上記直進枠に設けられ、反射部材が設けられた被検出部と、上記固定枠に設けられ、上記被検出部の反射部材に向けて検出光を投射し、その反射光を受光して上記被検出部の位置を検出する光センサとを備えて上記光センサを、投光軸が、上記被検出部の反射部材に対して略垂直に設定され、且つ、上記移動枠に投射された検出光の反射光軸と異なるように上記レンズ鏡筒の光軸と交わらないように配置するように構成した。
【００１４】
上記構成によれば、反射部材を設けた被検出部を、固定枠に対して表面に光沢を有する移動枠を内挿するとともに、該移動枠に対して光軸方向に変位可能な直進枠を内挿し、この被検出部の反射部材を、固定枠に配した光センサで検出することにより、移動枠の光軸方向の位置を検出している。従って、簡易な被検出部構造を実現したうえで、光センサを用いて表面に光沢を有する移動枠の高精度な位置検出が可能となり、ズーミング制御の高精度化の促進を図ることができる。
そして、これによれば、光センサより移動枠に投射された検出光の反射光軸が、光センサの検出光の投光軸と異なることにより、移動枠からの反射光を誤検出することがなくなる。従って、さらに、被検出部構造の簡略化の促進とともに、位置検出精度の信頼性の促進が図れる。
【００１７】
【発明の実施の形態】
以下、この発明の実施の形態について、図面を参照して詳細に説明する。
【００１８】
図１は、この発明の一実施の形態に係るカメラを示すもので、カメラ本体１０の前面略中央部にレンズ鏡筒１１が配され、このレンズ鏡筒１１を挟む両端部にパトローネ室１２及びスプール室１３が配される。そして、カメラ本体１０のレンズ鏡筒１１の上端部には、ＡＦファインダユニット１４及びストロボユニット１５が並設して設けられる。また、カメラ本体１０のレンズ鏡筒１１の下端部には、フィルム給送ユニット１６が配される。
【００１９】
上記レンズ鏡筒１１は、例えば図２に示すように第１の枠部材である固定枠２０、第２の枠部材であるカム枠２１、１群枠２２、直進枠であるフロートキー２３、２群枠２４及び３群枠２５で構成され、図３に示す沈胴位置及び図４に示すワイド（広角）位置及びテレ（望遠）位置に変倍駆動されてズーミングされる。
【００２０】
即ち、固定枠２０は、上記カメラ本体１０の前面略中央部に配され、その周壁に長孔２０１が光軸方向に延出して設けられる。そして、この長孔２０１には、長軸歯車２６が回転自在に収容配置される。この長軸歯車２６には、図５に示す詳細を後述するズーム駆動系を構成するズーム駆動モータ２７が歯車機構２８を介して駆動力が伝達可能に連結される。
【００２１】
また、上記固定枠２０には、その内壁にメスへリコイドねじ２０２及び直進キー溝２０３が形成され、その内部には、上記カム枠２１が内挿される。なお、上記直進キー溝２０３は、円周方向に異なる位置に３箇所形成されている。カム枠２１には、基端部の周壁部にオスへリコイドねじ／歯車部２１１が設けられ、このオスへリコイドねじ／歯車部２１１には、上記固定枠２０のメスへリコイド２０２及び上記長軸歯車２６が駆動自在に螺合及び噛合される。そして、このカム枠２１は、その外周壁にその表面が光沢を有するよう、例えばメタリック塗装２１５が施される。
【００２２】
これにより、カム枠２１は、長軸歯車２６が上記ズーム駆動モータ２７及び歯車機構２８を介して回転駆動されると、その回転力がオスへリコイドねじ／歯車部２１１に伝達され、その回転力により該オスへリコイドねじ／歯車部２１１が固定枠２０のメスへリコイド２０２と螺合調整されて回転しながら、光軸方向に進退移動される。
【００２３】
また、カム枠２１には、その内壁部にメスへリコイドねじ２１２、２群カム２１３及び３群カム２１４が設けられ、その内部には、第１レンズ群２２１を備える上記１群枠２２が内挿される。１群枠２２は、その外周壁に表面が光沢を有するよう、例えばメタリック塗装２２２が施され、その基端部には、オスヘリコイドねじ２２３が、カム枠２１のメスヘリコイドねじ２１２に対応して設けられる。そして、このオスへリコイドねじ２２３は、カム枠２１のメスヘリコイドねじ２１２に螺合される。これにより、１群枠２２は、カム枠２１が回転駆動されると、そのオスへリコイドねじ２２３がカム枠２１のメスへリコイドねじ２１２に案内されて光軸方向に進退移動される。なお、１群枠２２は、後述するフロートキーにより光軸周りの回転が規制されている。
【００２４】
上記１群枠２２には、上記フロートキー２３が内挿される。フロートキー２３の基端には、鍔部２３１が設けられ、この鍔部２３１には、フレア絞り２９が組付けられる。そして、この鍔部２３１には、直進キー２３２及びバヨネット爪２３３が設けられる。このうち円周方向の異なる位置に３箇所設けられた直進キー２３２は、上記固定枠２０の直進キー溝２０３に移動自在に挿入される。他方のバヨネット爪２３３は、カム枠２１内にバヨネット結合される。これにより、フロートキー２３は、その直進キー２３２が固定枠２０の直進キー溝２０３に案内されてカム枠２１とともに、固定枠２０に対して光軸方向に進退移動される。
【００２５】
また、フロートキー２３には、２群直進ガイド溝２３４及び３群直進ガイド溝２３５が光軸方向に延出されて設けられる。そして、このフロートキー２３内には、第２レンズ群２４１を備える上記２群枠２４及び第３レンズ群２５１を備える上記３群枠２５がばね部材３０を介して順に内挿される。
【００２６】
これら２群枠２４及び３群枠２５には、２群直進キー２４２及び３群直進キー２５２が設けられ、これら２群直進キー２４２及び３群直進キー２５２は、上記フロートキー２３の２群直進ガイド溝２３４及び３群直進ガイド溝２３５に移動自在に挿入される。
【００２７】
そして、上記２群直進キー２４２及び３群直進キー２５２には、２群駆動ピン２４３及び３群駆動ピン２５３が突出して設けられる。これら２群駆動ピン２４３及び３群駆動ピン２５３は、上記フロートキー２３の２群直進ガイド溝２３４及び３群直進ガイド溝２３５に挿通された後、カム枠２１の２群カム２１３及び３群カム２１４に駆動自在に係合される。これにより、２群枠及び３群枠２４、２５は、カム枠２１の回転に連動して、その２群駆動ピン２４３及び３群駆動ピン２５３が、上記カム枠２１の２群カム２１３及び３群カム２１４に駆動されると、その２群直進キー２４２及び３群直進キー２５３がフロートキー２３の２群直進ガイド溝２３４及び３群直進ガイド溝２３５に案内されて光軸方向に進退移動される。
【００２８】
上記２群枠２４には、フォーカシングモータ３１が内蔵される。このフォーカシングモータ３１は、１群枠２２、２群枠２４及び３群枠２５の任意のズーミング位置に合焦動作時に駆動される。そして、第２のレンズ群２４１を保持し、上記２群枠２４内に光軸方向に進退可能に支持される２群保持枠２６１を、上記フォーカシングモータ３１の駆動力により光軸方向に駆動制御して合焦動作が行われる。
【００２９】
さらに、上記フロートキー２３には、光軸方向の進退位置を検出するための被検出部２３６が、例えばカメラ本体１０のスプール室１３とカメラ上部に配されるユニットであるＡＦファインダユニット１４及びストロボユニット１５とで構成される略三角状の空間であるデットスペースＸに配されるように設けられる（図１参照）。
【００３０】
なお、この検出部２３６は、略円筒状のレンズ鏡筒１１とパトローネ室１２もしくはスプール室１３との間に形成される略三角状の空間Ｘ1、Ｘ2、Ｘ3内に配しても良い。
【００３１】
この被検出部２３６は、図６に示すようにその先端面が、例えば光軸Ｏに対して略平行な面であって、後述するセンサの投光軸ａに略直交するように形成される。そして、この被検出部２３６の先端面には、白塗装か、あるいは銀シールによる反射部材２３７が配される。
【００３２】
また、上記固定枠２０には、その周壁にセンサ取付台２０４がフロートキー２３の被検出部２３６に対応して光軸方向に延出して設けられる。このセンサ取付台２０４には、その略中央部に支持部２０５が設けられ、この支持部２０５を挟む光軸方向には、第１及び第２の検出孔２０６、２０７のそれぞれがレンズ鏡筒１１のワイド状態、テレ状態におけるフロートキー２３の被検出部２３６の位置に対向するように設けられる。そして、これら第１及び第２の検出孔２０６、２０７には、センサ位置決め部３８０ａ、３８０ｂがそれぞれ設けられる。
【００３３】
そして、上記センサ取付台２０４には、その支持部２０５をフレキシブル印刷配線基板３２に若干径大に形成された取付孔３２１に挿入した状態で該フレキシブル基板３２が積重配置される。このフレキシブル印刷配線基板３２には、検出手段を構成するワイド位置及びテレ位置検出用光センサ、例えば第１及び第２のフォトリフレクタ３３、３４が上記取付孔３２１を挟んで搭載される。この第１及び第２のフォトリフレクタ３３、３４は、上記センサ取付台２０４の第１及び第２の検出孔２０６、２０７の各センサ位置決め部３８０ａ、３８０ｂに収容される。
【００３４】
上記フレキシブル印刷配線基板３２上には、押さえばね部材３５が積重配置される。押さえばね部材３５には、図７に示すように略中央部にビス用孔３５０と、このビス用孔３５０を挟んで２個の位置決め用孔３５１が設けられる。そして、これら２個の位置決め用孔３５１が上記センサ取付台２０４の支持部２０５に設けられるボス２０９が装着されて該支持部２０５に対して位置決めされる。この位置決め状態で螺子３６を用いて螺着される。
【００３５】
また、押さえばね部材３５には、その両端部に押圧部３５２、３５３が上記フレキシブル印刷配線基板３２の第１及び第２のフォトリフレクタ３３、３４に対応して設けられる。これら押圧部３５２、３５３は、押さえばね部材３５の中央部が螺子３６を用いてセンサ取付台２０４に螺着された状態で、上記フレキシブル印刷配線基板３２の第１及び第２のフォトリフレクタ３３、３４の背面側に当接されて、該第１及び第２のフォトリフレクタ３３、３４を第１及び第２の検出孔２０６、２０７の位置決め部３８０ａ、３８０ｂに押圧して位置決めする。これにより、第１及び第２のフォトリフレクタ３３、３４は、上記フロートキー２３がカム枠２１とともに光軸方向に進退移動すると、そのワイド位置及びテレ位置において上記被検出部２３６の反射部材２３７が対設されて、該被検出部２３６の移動位置を検出する。
【００３６】
ここで、上記フロートキー２３の被検出部２３６と第１及び第２のフォトリフレクタ３３、３４と第２の枠部材であるカム枠２１との位置関係について図６を用いて詳述する。
【００３７】
まず、第１及び第２のフォトリフレクタ３３、３４は、その検出光Ａの投光軸ａと、検出光Ａがカム枠２１の表面に当たった際の反射光Ｂの反射光軸ｂとが異なる方向となるように配置される。即ち、第１及び第２のフォトリフレクタ３３、３４は、光軸Ｏに直交する断面において、光軸Ｏと交わることの無い方向に、その検出光Ａの投光軸ａが向くように配置される。よって、投光軸ａのカム枠２１の表面への交点におけるカム枠２１の接線に対し、所定量傾くように第１及び第２のフォトリフレクタ３３、３４は、配される。
【００３８】
一方、フロートキー２３の被検出部２３６は、フロートキー２３がワイド位置もしくはテレ位置に移動した状態で、第１もしくは第２のフォトリフレクタ３３、３４の検出光Ａの投光軸ａと略直交するように、その被検出面を構成する反射部材２３７が配される。換言すれば、被検出部２３６の被検出面もまた、投光軸ａのカム枠２１の表面への交点におけるカム枠２１の接線に対し、所定量傾くように配されている。
【００３９】
このような配置とすることにより、第１及び第２のフォトリフレクタ３３、３４とフロートキー２３の被検出部２３６の反射部材２３７との間隙ｂ1と、第１及び第２のフォトリフレクタ３３、３４とカム枠２１の外周面と投光軸ａとの交点との間隔ｂ2とを、
ｂ1＜＜ｂ2
と設定することができる。そして、被検出部２３６及び第１、第２のフォトリフレクタ３３、３４の配置位置としては、カメラ本体１０の固定枠２０の周囲に形成される略三角状の空間であるデッドスペースＸを利用した配置が可能となり、カメラ本体１０の小型化の促進にも寄与することができる。これは、固定枠２０の周囲に形成されるデッドスペースＸ1、Ｘ2、Ｘ3に配置しても同様の効果が得られる。
【００４０】
一方、間隔ｂ1と間隔ｂ2との差を大きくしているため、検出光Ａが反射部材２３７に投射された場合とカム枠２１の表面に投射された場合とによって、その反射光量の差が大きく異なるので正確な検出が可能となる。
【００４１】
また、上述のような配置とすることにより、第１または第２のフォトリフレクタ３３、３４の検出光Ａが上記反射部材２３７に投射された場合は、その反射光が第１または第２のフォトリフレクタ３３、３４に向けて反射するのに対し、検出光Ａがカム枠２１の表面に投射された場合は、第１または第２のフォトリフレクタ３３、３４とは異なる方向に向けて反射される。よって、検出光Ａが反射部材２３７に投射された場合とカム枠２１の表面に投射された場合とによって、その反射光量の差が大きく異なるので、正確な検出が可能となる。更に、この検出光Ａの投光軸ａと反射光Ｂの反射光軸ｂとが異なる方向であるため、上述の間隙ｂ1と間隙ｂ2との差を少なくしても、信頼性の高い位置検出が可能となるので、この点からも小型化の促進を図ることができる。
【００４２】
ここで、上記ズーム駆動系について説明する。即ち、上記第１及び第２のフォトリフレクタ３３、３４は、上記図５に示すテレ位置及びワイド位置を検出する絶対位置検出手段３７を構成し、その出力端が制御回路（ＣＰＵ）３８に接続される。また、制御回路３８には、例えばフォトインタラプタで構成される相対位置検出手段３９が接続され、その出力端には、上記モータ駆動回路４０が接続される。
【００４３】
上記制御回路３８は、上記絶対位置検出手段３７及び相対位置検出手段３９からの検出信号に応動して制御信号を生成し、この制御信号をモータ駆動回路４０に出力する。モータ駆動回路４０は、その出力端に上記ズーム駆動モータ２７が接続され、入力された制御信号に基づいてモータ駆動信号を生成して、ズーム駆動モータ２７を駆動制御し、上記レンズ鏡筒１１を変倍駆動してズーミング制御する。
【００４４】
即ち、制御回路３８は、例えば図８に示すように、電源が投入されてセットアップ信号が入力されると、相対位置検出手段３９からのパルス信号に基づいて制御信号を生成してモータ駆動回路４０に出力する。モータ駆動回路４０は、入力された制御信号に基づいてモータ駆動信号を生成してズーム駆動モータ２７を駆動する。ここで、ズーム駆動モータ２７の回転力は、上記歯車機構２８を介して長軸歯車２６に伝達され、その回転力が長軸歯車２６を介してカム枠２１のオスへリコイドねじ／歯車部２１１に伝達される。すると、カム枠２１は、そのオスへリコイドねじ／歯車部２１１が固定枠２０のメスヘリコイドねじ２０２と螺合調整されて回転しながら繰り出し制御される。
【００４５】
ここで、カム枠２１の回転に伴い、カム枠２１とヘリコイド結合されている１群枠２２は、フロートキー２３に直進ガイドされた状態で、カム枠２１に対し光軸方向に進退駆動される。これにより、１群枠２２が沈胴位置からワイド位置、テレ位置へと繰り出し制御される。同時に、２群枠２４及び３群枠２５は、その２群駆動ピン２４３及び３群駆動ピン２５３がカム結合されるカム枠２１の回転に伴って、その２群直進キー２４２及び３群直進キー２５２がフロートキー２３の２群直進ガイド溝２３４及び３群直進ガイド溝２３５に案内されて図３に示す沈胴位置から光軸方向に繰り出し制御される。
【００４６】
そして、ズーム駆動モータ２７が回転駆動されて、フロートキー２３の被検出部２３６が、ワイド位置に到達すると、該被検出部２３６を第１のフォトリフレクタ３３が検出して、検出信号を制御回路３８に出力する。ここで、制御回路３８は、図７に示すように第１のフォトリフレクタ３３からの検出信号に基づいて相対位置検出手段３９からのパルス信号をカウントして、そのカウント数に基づいて制御信号を生成してモータ駆動回路４０に出力する。
【００４７】
モータ駆動回路４０は、入力された制御信号に基づいて駆動信号を生成してズーム駆動モータ２７を駆動制御し、上述したように歯車機構２８を介して１群枠２２、２群枠２４及び３群枠２５を図４に示す所望のワイド位置に設定する。このようにして、レンズ鏡筒１１が沈胴位置からワイド位置へと繰り出された状態では、第１のフォトリフレクタ３３の信号がフロートキー２３の被検出部２３６を検出して立ち上がり、検出信号が制御回路３８に入力される。
【００４８】
ここで、図示しないズーム釦が操作されて、ズーム指令信号が制御回路３８に入力されると、制御回路３８は、再び、第１のフォトリフレクタ３３の検出信号に基づいて制御信号を生成し、モータ駆動回路４０に出力する。モータ駆動回路４０は、制御信号に基づいて駆動信号を生成してズーム駆動モータ２７を駆動する。ここで、ズーム駆動モータ２７の回転力は、歯車機構２８を介して長軸歯車２６に伝達され、長軸歯車２６が、カム枠２１のオスヘリコイドねじ／歯車部２１１を回転駆動してカム枠２１を、固定枠２０に対して回転させながら繰り出し制御する。このカム枠２１の繰り出しに連動して、１群枠２２、２群枠２４及び３群枠２５は、直進移動されてワイド位置から繰り出し制御して変倍制御される。
【００４９】
この変倍制御時、制御回路３８は、第１のフォトリフレクタ３３からの検出信号の立ち下がりを判定すると、再び、相対位置検出手段３９からの検出信号のパルスをカウントして、そのカウント数に基づいてズーム駆動モータ２７を駆動制御し、入力されるズーム指令信号に基づいて上記レンズ鏡筒１１の変倍を制御する。
【００５０】
そして、フロートキー２３の被検出部２３６が第２のフォトリフレクタ３４に到来すると、第２のフォトリフレクタ３４は、被検出部２３６の反射部材を検出して、検出信号を制御回路３８に出力する。ここで、制御回路３８は、第２のフォトリフレクタ３４からの検出信号の立ち上がりを判定すると、上記相対位置検出手段３９からのパルス信号をカウントして所定数に達した状態で、ズーム駆動モータ２７の駆動を停止して、テレ側への変倍動作を終了する（図４参照）。このようにして、レンズ鏡筒１１がテレ位置へと繰り出された状態では、第２のフォトリフレクタ３４は、フロートキー２３の被検出部２３６を検出した検出信号の立ち上がり状態に設定される。
【００５１】
また、上記制御回路３８は、ズーム反転指令が入力されると、ズーム駆動モータ２７を反転駆動する。このズーム駆動モータ２７の回転力は、歯車機構２８を介して長軸歯車２６に伝達されて、該長軸歯車２６が反転駆動される。長軸歯車２６は、カム枠２１のオスヘリコイドねじ／歯車部２１１を反転駆動して該カム枠２１を光軸方向に反転させながら後退させて１群枠２２、２群枠２４及び３群枠２５を繰り出し位置から固定枠２０内に繰り込み、変倍制御する。
【００５２】
この際、制御回路３８は、第２のフォトリフレクタ３４で検出される被検出部２３６の検出信号の立ち下がりを判定して、その立ち下がり情報に基づいて相対位置検出手段３９からのパルス信号のパルス数をカウントして、該ズーム駆動モータ２７を駆動制御し、レンズ鏡筒１１をテレ位置からワイド位置方向に移動制御する。
【００５３】
そして、上記カメラ電源がオフされ、制御回路３８に沈胴信号が入力されると、ズーム駆動モータ２７が、再び反転駆動される。ここで、長軸歯車２６は、反転駆動されて、そのフロートキー２３の被検出部２３６が第１のフォトリフレクタ３３に対向される位置に到達する。すると、第１のフォトリフレクタ３３は、被検出部２３６を検出して検出信号を制御回路３８に出力する。
【００５４】
制御回路３８は、第１のフォトリフレクタ３３からの検出信号の立ち上がりを判定すると、相対位置検出手段３９で検出されるパルス信号をカウントして、所定のパルス数に達した状態で、該ズーム駆動モータ２７を停止制御する。これにより、レンズ鏡筒１１は、初期の沈胴位置に格納される。
【００５５】
また、レンズ鏡筒１１がズーミングされて上述したようにテレ位置からワイド位置に繰り出された状態で、上記制御回路３８は、ＡＦファインダユニット１４からの指令信号に基づいてフォーカシング制御信号を生成して、このフォーカシング制御信号に基づいた駆動信号により上記フォーカシングモータ３１を駆動制御し、２群保持枠２６１を光軸方向に進退移動して焦点を合焦する。
【００５６】
さらに、上記レンズ鏡筒１１の変倍制御時においては、上記ズーム駆動モータ２７の駆動力が図示しないファインダ駆動ギア列を介して上記ＡＦファインダユニット１４のファインダ光学系に伝達されて、ファインダ光学系もレンズ鏡筒１１の変倍動作に連動して変倍駆動される。
【００５７】
このように、上記カメラは、固定枠２０に対し、表面に光沢を有した１群枠２２と一体的に光軸方向に進退するフロートキー２３に被検出部２３６を設けて、このフロートキー２３の被検出部２３６を固定枠２０に配した第１及び第２のフォトリフレクタ３３、３４で、その位置を検出してレンズ鏡筒１１の変倍制御を行うように構成した。
【００５８】
これによれば、被検出部２３６を、固定枠２０に対して光軸方向に変位可能なフロートキー２３に設けて、この被検出部２３６を固定枠２０に配した第１及び第２のフォトリフレクタ３３、３４で検出して、光軸方向の位置を検出していることにより、簡易な被検出部構造を実現したうえで、その高精度な検出が実現され、小型化の促進と共に、高精度なズーミング制御が実現される。
【００５９】
なお、この発明は、上記実施の形態に限ることなく、その他、図９に示すように被検出部２３６ａをフロートキー２３の基部に光軸方向に傾斜させて設けるように構成して良く、同様の効果が期待される。この実施の形態においても、被検出部２３６ａの先端面には、例えば銀シール等による反射部材２３７ａが設けられる。
【００６０】
この場合においても、第１及び第２のフォトリフレクタ３３、３４とフロートキー２３の被検出部２３６の反射部材２３７との間隙ｂ1と、第１及び第２のフォトリフレクタ３３、３４とカム枠２１の外周面と投光軸ａとの交点との間隙ｂ2とを
ｂ1＜＜ｂ2
と設定することができる。
【００６１】
また、第１または第２のフォトリフレクタ３３、３４の検出光Ａが上記反射部材２３７に投射された場合は、その反射光Ｂが第１または第２のフォトリフレクタ３３、３４に向けて反射するのに対し、検出光Ａがカム枠２１の表面に投射された場合は、第１または第２のフォトリフレクタ３３、３４とは異なる方向に向けて反射される。
【００６２】
よって、上述した実施の形態と同様の効果を得ることができる。
【００６３】
また、上記実施の形態では、カム枠２１及び１群枠２２にメタリック塗装２１５、２２２を施して、表面に光沢を持たせるように構成した場合で説明したが、これに限ることなく、これらカム枠２１及び１群枠２２の周囲に表面に光沢を有する金属キャップ等を被着するレンズ鏡筒１１においても、同様の効果が期待できる。
【００６４】
さらに、上記実施の形態では、固定枠２０内にカム枠２１、１群枠２２、フロートキー２３、２群枠２４及び３群枠２５を順に内挿したレンズ鏡筒１１に適用した場合で説明したが、これに限ることなく、その他のレンズ鏡筒構造のものにおいても適用可能である。
【００６５】
よって、この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００６６】
例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６７】
上述した実施の形態に基づいて
（１）  所定範囲内で光軸方向に進退可能なレンズ鏡筒を備えるカメラにおいて、
カメラ本体に対し固定される固定枠と、
上記固定枠に対し、相対回転自在かつ光軸方向に進退可能な移動枠と、
上記移動枠の外周に固着され、表面に光沢を有する金属キャップと、
上記移動枠に対し、相対回転自在かつ光軸方向に一体的に移動可能な直進枠と、
上記直進枠に設けられた被検出部と、
上記被検出部に配された反射部材と、
上記反射部材に向けて検出光を投射し、その反射光を受光可能な光センサと、
上記光センサの出力に基づいて、上記レンズ鏡筒を駆動制御する制御手段と、
を具備することを特徴とするカメラを提供することができる。
【００６８】
（２）  上記（１）の記述において、
上記光センサは、上記固定枠に固定されることを特徴とするカメラを提供することができる。
【００６９】
（３）  上記（１）（２）の記述において、
上記反射部材は、上記光センサからの検出光の投光軸に対し略直交するように配されるとともに、上記光センサは、上記被検出部に向けて検出光を投射可能であって、上記金属キャップに上記検出光が投射された際の反射光軸が、上記検出光の投光軸と異なる位置に配置されていることを特徴とするカメラを提供することができる。
【００７０】
（４）  上記（３）の記述において
上記投光軸と上記金属キャップとの交点における該金属キャップの接線に対し、上記投光軸は、所定量傾くように、上記光センサが配されることを特徴とするカメラを提供することができる。
【００７１】
（５）  所定範囲内で光軸方向に進退可能なレンズ鏡筒を備えるカメラにおいて、
カメラ本体に固定される固定枠と、
上記固定枠に対し、相対回転自在かつ光軸方向に進退可能であって、表面に光沢を有する移動枠と、
上記移動枠に対し、相対回転自在かつ光軸方向に一体的に移動可能な直進枠と、
上記直進枠に設けられた被検出部と、
上記被検出部に配された反射部材と、
上記反射部材に向けて検出光を投射し、その反射光を受光可能な光センサと、
上記光センサの出力に基づいて、上記レンズ鏡筒を駆動制御する制御手段と、
を具備することを特徴とするカメラを提供することができる。
【００７２】
（６）  上記（５）の記述において、
上記レンズ鏡筒の一方の側に配されるパトローネ室もしくはスプール室と、を有し、上記光センサは、上記直進枠と、上記パトローネ室もしくはスプール室とに囲まれた空間内に配されることを特徴とするカメラを提供することができる。
【００７３】
【発明の効果】
以上詳述したように、この発明によれば、構成簡易にして、小型化の促進を図り得、且つ、高精度なズームミング制御を実現し得るようにしたカメラを提供することができる。
【図面の簡単な説明】
【図１】この発明の一実施の形態に係るカメラの配置構成を示した平面図である。
【図２】図１のレンズ鏡筒を分解して示した分解斜視図である。
【図３】図１のレンズ鏡筒の沈胴位置の状態を示した断面図である。
【図４】図１のレンズ鏡筒のワイド位置及びテレ位置の状態を示しや断面図である。
【図５】図１のズーム駆動系を示したブロック図である。
【図６】図１の要部の一部を断面して示した平面図である。
【図７】図３の一部を拡大して示した断面図である。
【図８】図１の変倍動作を説明するために示した波形図である。
【図９】この発明の他の実施の形態に係るカメラの要部を取出して示した断面図である。
【符号の説明】
１０  …  カメラ本体
１１  …  レンズ鏡筒
１２  …  パトローネ室
１３  …  スプール室
１４  …  ＡＦファインダユニット
１５  …  ストロボユニット
２０  …  固定枠
２０１  …  長孔
２０２  …  メスへリコイドねじ
２０３  …  直進キー溝
２０４  …  センサ取付台
２０５  …  支持部
２０６、２０７  …  第１及び第２の検出孔
２０８ａ、２０８ｂ  …  センサ位置決め部
２０９  …  ボス
２１  …  カム枠
２１１  …  オスへリコイドねじ／歯車部
２１２  …  メスへリコイドねじ
２１３  …  ２群カム
２１４  …  ３群カム
２２  …  １群枠
２２１  …  第１レンズ群
２２２  …  メタリック塗装
２２３  …  オスへリコイドねじ
２３  …  フロートキー
２３１  …  鍔部
２３２  …  直進キー
２３３  …  バヨネット爪
２３４  …  ２群直進ガイド溝
２３５  …  ３群直進ガイド溝
２３６、２３６ａ  …  被検出部
２３７、２３７ａ  …  反射部材
２４  …  ２群枠
２４１  …  第２レンズ群
２４２  …  ２群直進キー
２４３  …  ２群駆動ピン
２５  …  ３群枠
２５１  …  第３レンズ群
２５２  …  ３群直進キー
２５３  …  ３群駆動ピン
２６  …  長軸歯車
２７  …  ズーム駆動モータ
２８  …  歯車機構
２９  …  フレア絞り
３０  …  ばね部材
３１  …  フォーカシングモータ
３２  …  フレキシブル印刷配線基板
３２１  …  取付孔
３３、３４  …  第１及び第２のフォトリフレクタ
３５  …  押さえばね部材
３５１  …  位置決め用孔
３５２、３５３  …  押圧部
３６  …  螺子
３７  …  絶対位置検出手段
３８  …  制御回路
３９  …  相対位置検出手段
４０  …  モータ駆動回路
【図１】
0004212286.tif 000002
【図２】
0004212286.tif 000003
【図３】
0004212286.tif 000004
【図４】
0004212286.tif 000005
【図５】
0004212286.tif 000006
【図６】
0004212286.tif 000007
【図７】
0004212286.tif 000008
【図８】
0004212286.tif 000009
【図９】
0004212286.tif 000010